(57)【要約】      （修正有）【課題】設備コストを抑えて光通信回線の加入者数を増加させることができる伝送システム及び伝送方法を提供する。【解決手段】伝送システムは、ＰＯＮに含まれる光端局装置及び複数の光終端装置を有する伝送システムにおいて、光端局装置は、複数の光終端装置に制御信号をそれぞれ送信し、複数の光終端装置は、グループごとに分かれ、それぞれ、制御信号の受信時刻に基づき光端局装置との間の伝送遅延時間をグループ内の他の光終端装置と比較する。比較の結果、グループ内で伝送遅延時間が最も大きい光終端装置が、制御信号に対する応答信号を光端局装置に送信する。光端局装置は、応答信号の受信時刻に基づきグループごとにデータ信号の送信期間を割り当てる。複数の光終端装置は、グループごとの送信期間が到来するたびにグループ内で順番にデータ信号を光端局装置に送信する。【選択図】図９
2017011333.tif 000002
【特許請求の範囲】
【請求項１】
ＰＯＮに含まれる光端局装置及び複数の光終端装置を有する伝送システムにおいて、
前記光端局装置は、前記複数の光終端装置に制御信号をそれぞれ送信し、
前記複数の光終端装置は、グループごとに分かれ、それぞれ、前記制御信号の受信時刻に基づき前記光端局装置との間の伝送遅延時間を前記グループ内の他の光終端装置と比較し、
該比較の結果、前記グループ内で前記伝送遅延時間が最も大きい光終端装置が、前記制御信号に対する応答信号を前記光端局装置に送信し、
前記光端局装置は、前記応答信号の受信時刻に基づき前記グループごとにデータ信号の送信期間を割り当て、
前記複数の光終端装置は、前記グループごとの前記送信期間が到来するたびに前記グループ内で順番に前記データ信号を前記光端局装置に送信することを特徴とする伝送システム。
【請求項２】
前記複数の光終端装置は、前記グループ内において、前記制御信号の波長及び前記データ信号の波長とは異なる波長の信号により通信することにより前記伝送遅延時間を比較することを特徴とする請求項１に記載の伝送システム。
【請求項３】
前記グループ内で前記伝送遅延時間が最も大きい光終端装置は、前記送信期間内に前記グループ内の前記データ信号の送信順を他の光終端装置に通知することを特徴とする請求項１または２に記載の伝送システム。
【請求項４】
前記複数の光終端装置は、前記グループ内において、互いに測定信号を送受信し、前記制御信号の受信時刻を基準として測定した各々の前記測定信号の送信時刻及び受信時刻に基づき前記伝送遅延時間を比較することを特徴とする請求項１乃至３の何れかに記載の伝送システム。
【請求項５】
ＰＯＮに含まれる光端局装置及び複数の光終端装置の間の伝送方法おいて、
前記光端局装置は、前記複数の光終端装置に制御信号をそれぞれ送信し、
前記複数の光終端装置は、グループごとに分かれ、それぞれ、前記制御信号の受信時刻に基づき前記光端局装置との間の伝送遅延時間を前記グループ内の他の光終端装置と比較し、
該比較の結果、前記グループ内で前記伝送遅延時間が最も大きい光終端装置が、前記制御信号に対する応答信号を前記光端局装置に送信し、
前記光端局装置は、前記応答信号の受信時刻に基づき前記グループごとにデータ信号の送信期間を割り当て、
前記複数の光終端装置は、前記グループごとの前記送信期間に従い、前記グループ内で順番に前記データ信号を前記光端局装置に送信することを特徴とする伝送方法。
【発明の詳細な説明】
【技術分野】
【０００１】
本件は、伝送システム及び伝送方法に関する。
【背景技術】
【０００２】
光通信回線の需要の増加に伴って、光ファイバの設置コストが低いＰＯＮ（Passive Optical Network）（例えば特許文献１参照）が普及している。例えば、ＩＥＥＥ（the Institute of Electrical and Electrics Engineers, Inc.）８０２．３ａｈには、イーサネット（登録商標、以下同様）に準ずる１（Ｇｂｐｓ）以上のＧＥ（Gigabit Ethernet）−ＰＯＮに関する技術が規定されている。
【０００３】
ＰＯＮは、光端局装置及び複数の光終端装置が、光を分岐する光カプラを介して接続されたアクセス系光ネットワークの形態である。光端局装置は、ＯＬＴ（Optical Line Termination）などと呼ばれ、光通信回線の提供者の局舎に設置される伝送装置である。光終端装置は、ＯＮＵ（Optical Network Unit）などと呼ばれ、光通信回線の加入者宅に設置される伝送装置である。
【先行技術文献】
【特許文献】
【０００４】
【特許文献１】特開２００６−２７９８６０号公報
【発明の概要】
【発明が解決しようとする課題】
【０００５】
１台のＯＬＴに接続可能なＯＮＵの台数は、例えばＯＬＴの処理能力に応じて制限されている（例えば２５６台）。このため、例えば集合住宅では、１台のＯＮＵが共用のＶＤＳＬ（Very high bit rate Digital Subscriber Line）装置などに接続され、ＯＮＵからのデータ信号を各ユーザ宅に分配することにより、１つの光通信回線が複数のユーザ間で共有されている。
【０００６】
したがって、ＯＬＴに上限数のＯＮＵが接続済みである場合、光通信回線の加入者を増やすためには新たなＯＬＴ及びＯＮＵを設置する必要があり、さらにＶＤＳＬ装置などの設置も追加で必要となることがあるため、多大な設備コストが必要になる。
【０００７】
そこで本件は上記の課題に鑑みてなされたものであり、設備コストを抑えて光通信回線の加入者数を増加させることができる伝送システム及び伝送方法を提供することを目的とする。
【課題を解決するための手段】
【０００８】
本明細書に記載の伝送システムは、ＰＯＮに含まれる光端局装置及び複数の光終端装置を有する伝送システムにおいて、前記光端局装置は、前記複数の光終端装置に制御信号をそれぞれ送信し、前記複数の光終端装置は、グループごとに分かれ、それぞれ、前記制御信号の受信時刻に基づき前記光端局装置との間の伝送遅延時間を前記グループ内の他の光終端装置と比較し、該比較の結果、前記グループ内で前記伝送遅延時間が最も大きい光終端装置が、前記制御信号に対する応答信号を前記光端局装置に送信し、前記光端局装置は、前記応答信号の受信時刻に基づき前記グループごとにデータ信号の送信期間を割り当て、前記複数の光終端装置は、前記グループごとの前記送信期間が到来するたびに前記グループ内で順番に前記データ信号を前記光端局装置に送信する。
【０００９】
本明細書に記載の伝送方法は、ＰＯＮに含まれる光端局装置及び複数の光終端装置の間の伝送方法おいて、前記光端局装置は、前記複数の光終端装置に制御信号をそれぞれ送信し、前記複数の光終端装置は、グループごとに分かれ、それぞれ、前記制御信号の受信時刻に基づき前記光端局装置との間の伝送遅延時間を前記グループ内の他の光終端装置と比較し、該比較の結果、前記グループ内で前記伝送遅延時間が最も大きい光終端装置が、前記制御信号に対する応答信号を前記光端局装置に送信し、前記光端局装置は、前記応答信号の受信時刻に基づき前記グループごとにデータ信号の送信期間を割り当て、前記複数の光終端装置は、前記グループごとの前記送信期間に従い、前記グループ内で順番に前記データ信号を前記光端局装置に送信する方法である。
【発明の効果】
【００１０】
設備コストを抑えて光通信回線の加入者数を増加させることができる。
【図面の簡単な説明】
【００１１】
【図１】ＰＯＮシステム（下り方向の信号）の一例を示す構成図である。
【図２】ＰＯＮシステム（上り方向の信号）の一例を示す構成図である。
【図３】ＯＮＵの一例を示す構成図である。
【図４】ＯＬＴの一例を示す構成図である。
【図５】送信期間の割り当て処理の一例を示すシーケンス図である。
【図６】データ信号の送信順序の一例を示すタイムチャートである。
【図７】ＯＮＵの送信期間内の動作を示すフローチャートである。
【図８】グループ内の伝送遅延時間の比較処理の一例を示すフローチャートである。
【図９】グループ内の伝送遅延時間の比較処理の一例を示すシーケンス図である。
【発明を実施するための形態】
【００１２】
図１及び図２は、ＰＯＮシステムの一例を示す構成図である。ＰＯＮシステムは、伝送システムの一例であり、複数の光終端装置（ＯＮＵ）１，１ｓと、光端局装置（ＯＬＴ）２とを有する。なお、図１には、ＯＬＴ２からＯＮＵ１，１ｓに向かう下り方向の信号が示され、図２には、ＯＮＵ１，１ｓからＯＬＴ２に向かう上り方向の信号が示されている。
【００１３】
ＯＬＴ２は、光通信回線の提供者の局舎に設置され、例えば、不図示の波長多重伝送装置などを介して外部の基幹系ネットワークと接続されている。ＯＬＴ２は、光ファイバなどの伝送路を介して光カプラ４に接続されている。
【００１４】
複数のＯＮＵ１，１ｓは、それぞれ、光通信回線の加入者宅に設置され、例えば、不図示のルータなどを介して、加入者宅のＬＡＮ（Local Area Network）３に接続されている。複数のＯＮＵ１，１ｓは、それぞれ、光ファイバなどの伝送路を介して光カプラ４に接続されている。
【００１５】
このように、ＯＬＴ２及び複数のＯＮＵ１，１ｓは、スター型のネットワークであるＰＯＮを構成し、ＯＬＴ２と光カプラ４間の伝送路を共有する。したがって、光カプラ４を各加入者宅の近傍の適切な場所に設置することにより、伝送路である光ファイバの設置コストが低減される。
【００１６】
複数のＯＮＵ１，１ｓは、グループＧ１〜Ｇｍ（ｍ：正の整数）ごとに分けられている。グループＧ１には、ＯＮＵ（＃１−１）１ｓ、ＯＮＵ（＃１−２）１、・・・、及びＯＮＵ（＃１−ｎ）１（ｎ：正の整数）が含まれ、グループＧ２には、ＯＮＵ（＃２−１）１ｓ、ＯＮＵ（＃２−２）１、・・・、及びＯＮＵ（＃２−ｎ）１が含まれている。また、グループＧｍには、ＯＮＵ（＃ｍ−１）１ｓ、ＯＮＵ（＃ｍ−２）１、・・・、及びＯＮＵ（＃ｍ−ｎ）１が含まれている。
【００１７】
グループＧ１〜Ｇｍ内のＯＮＵ１，１ｓは、共通のＬＬＩＤ（Logical Link Identifier）が設定されている。ＬＬＩＤは、ＯＬＴ２からＯＮＵ１，１ｓに設定される識別子であり、本実施例では、グループＧ１〜Ｇｍに「１」〜「ｍ」のＬＬＩＤが設定されている。
【００１８】
このため、ＯＬＴ２は、各グループＧ１〜Ｇｍの１台のＯＮＵ１ｓ（以下、「代表ＯＮＵ」と表記）だけを認識する。したがって、ＯＬＴ２は、各グループＧ１〜ＧｍにＯＮＵ１，１ｓが追加で設置されても、伝送処理の負荷が増加しない。
【００１９】
本実施例において、グループＧ１，Ｇ２〜Ｇｍの代表ＯＮＵは、それぞれ、ＯＮＵ（＃１−１）１ｓ、ＯＮＵ（＃２−１）１ｓ〜ＯＮＵ（＃ｍ−１）１ｓとする。後述するように、グループＧ１〜Ｇｍ内のＯＮＵ１のうち、ＯＬＴ２に対する伝送遅延時間が最も大きいものが代表ＯＮＵ１ｓとして設定される。このため、ＯＬＴ２は、各グループＧ１〜Ｇｍのデータ信号Ｄｕ同士が伝送路で衝突しないように、各グループＧ１〜Ｇｍ内で最も大きい伝送遅延時間に合わせて、グループＧ１〜Ｇｍごとのデータ信号Ｄｕの送信期間を決定できる。
【００２０】
各グループＧ１〜Ｇｍ内のＯＮＵ１，１ｓは、点線で示されるように、伝送路を介して信号Ｋを互いに送受信することができる。これにより、グループＧ１〜Ｇｍ内のＯＮＵ１，１ｓは、伝送遅延時間を互いに比較し、その比較結果に基づき、代表ＯＮＵ１ｓが設定される。
【００２１】
グループＧ１〜Ｇｍ内のＯＮＵ１のうち、代表ＯＮＵ１ｓだけが、ＯＬＴ２からのコマンド信号Ｃに対して応答信号Ｒを送信する。このため、ＯＬＴ２は、各グループＧ１〜Ｇｍの他のＯＮＵ１を認識しない。したがって、ＯＬＴ２は、上述したように、各グループＧ１〜ＧｍにＯＮＵ１，１ｓが追加で設置されても、伝送処理の負荷が増加せず、ＯＬＴ２及びＶＤＳＬ装置などを追加する必要がない。
【００２２】
図１に示されるように、ＯＬＴ２は、基幹ネットワークから受信したデータ信号Ｄｄを、光カプラ４を介して各グループＧ１〜ＧｍのＯＮＵ１，１ｓに送信する。ＰＯＮはスター型のネットワークであるため、ＯＬＴ２から送信されたデータ信号Ｄｄは、全てのＯＮＵ１，１ｓに入力される。
【００２３】
このため、ＯＬＴ２は、データ信号Ｄｄの宛先を検出し、その宛先に応じたＬＬＩＤ（［］内の数字参照）をデータ信号Ｄｄに付与する。ＯＬＴ２は、例えば、グループＧ１宛てのデータ信号ＤｄにＬＬＩＤ「１」を付与し（Ｄｄ［１］参照）送信する。各ＯＮＵ１，１ｓは、受信したデータ信号ＤｄのＬＬＩＤを参照し、自宛てのものだけを選択するため、グループＧ１のＯＮＵ１，１ｓだけがデータ信号Ｄｄ［１］を受信できる。なお、グループＧ２のＯＮＵ１，１ｓ及びグループＧｍのＯＮＵ１，１ｓも、これと同様に、ＬＬＩＤ「２」，「ｍ」のデータ信号Ｄｄ［２］，［ｍ］だけをそれぞれ受信する。
【００２４】
各グループＧ１〜ＧｍのＯＮＵ１，１ｓは、受信したデータ信号Ｄｄ［１］〜Ｄｄ［ｍ］からＬＬＩＤを削除して、加入者宅のＬＡＮ３へデータ信号Ｄｄを送信する。加入者宅のＬＡＮ３では、データ信号Ｄｄの宛先に基づき、他のＬＡＮ３宛てのデータ信号Ｄｄは廃棄される。
【００２５】
また、ＯＬＴ２は、ＬＬＩＤを付与したコマンド信号Ｃ［１］〜［ｍ］を生成してＯＮＵ１，１ｓに送信する。コマンド信号Ｃ［１］〜［ｍ］は、ＯＮＵ１，１ｓを制御する制御信号の一例である。
【００２６】
ＯＬＴ２は、例えば、グループＧ１宛てのコマンド信号ＣにＬＬＩＤ「１」を付与し（Ｃ［１］参照）送信する。各グループＧ１〜ＧｍのＯＮＵ１，１ｓは、受信したコマンド信号ＣのＬＬＩＤを参照し、自宛てのものだけを受信するため、グループＧ１のＯＮＵ１，１ｓだけがコマンド信号Ｃ［１］を受信できる。なお、グループＧ２のＯＮＵ１，１ｓ及びグループＧｍのＯＮＵ１，１ｓも、これと同様に、ＬＬＩＤ「２」，「ｍ」のコマンド信号Ｃ［２］，［ｍ］だけをそれぞれ受信する。
【００２７】
各グループＧ１〜Ｇｍ内のＯＮＵ１，１ｓは、コマンド信号Ｃ［１］，Ｃ［２］，・・・，Ｃ［ｍ］を受信すると、その受信時刻に基づき、ＯＬＴ２との間の伝送遅延時間をグループＧ１〜Ｇｍ内の他のＯＮＵ１，１ｓと比較する。その比較の結果、各グループＧ１〜Ｇｍ内で伝送遅延時間が最も大きいＯＮＵ１ｓが、コマンド信号Ｃ［１］，Ｃ［２］，・・・，Ｃ［ｍ］に対する応答信号Ｒ［１］，Ｒ［２］，・・・，Ｒ［ｍ］（図２参照）をＯＬＴ２に送信する。
【００２８】
また、図２に示されるように、各グループＧ１〜ＧｍのＯＮＵ１，１ｓは、加入者宅のＬＡＮ３からデータ信号Ｄｕを受信すると、自グループＧ１〜ＧｍのＬＬＩＤをデータ信号Ｄｕに付与する（Ｄｕ［１］，Ｄｕ［２］，・・・，Ｄｕ［ｍ］参照）。各グループＧ１〜ＧｍのＯＮＵ１，１ｓは、ＯＬＴ２から割り当てられた送信期間に、データ信号Ｄｕ［１］，Ｄｕ［２］，・・・，Ｄｕ［ｍ］を送信する。ＰＯＮはスター型のネットワークであるため、ＯＬＴ２は、各ＯＮＵ１，１ｓから送信されたデータ信号Ｄｕ同士が衝突しないように、コマンド信号Ｃ［１］，Ｃ［２］，・・・，Ｃ［ｍ］により各ＯＮＵ１，１ｓの送信期間を制御する。
【００２９】
送信期間はグループＧ１〜Ｇｍごとに異なるため、異なるグループＧ１〜Ｇｍのデータ信号Ｄｕ［１］，Ｄｕ［２］，・・・，Ｄｕ［ｍ］が衝突することはない。また、各グループＧ１〜ＧｍのＯＮＵ１，１ｓは、送信期間が到来するごとグループＧ１〜Ｇｍ内で順番にデータ信号Ｄｕ［１］，Ｄｕ［２］，・・・，Ｄｕ［ｍ］をＯＬＴ２に送信するため、グループＧ１〜Ｇｍ内のＯＮＵ１，１ｓ同士のデータ信号Ｄｕが衝突することはない。なお、送信期間の割り当てについては後述する。
【００３０】
また、各グループＧ１〜Ｇｍの代表ＯＮＵ１ｓは、ＯＬＴ２からコマンド信号Ｃ［１］，Ｃ［２］，・・・，Ｃ［ｍ］を受信すると、応答信号Ｒ［１］，Ｒ［２］，・・・，Ｒ［ｍ］をＯＬＴ２に送信する。ＯＬＴ２は、応答信号Ｒ［１］，Ｒ［２］，・・・，Ｒ［ｍ］の受信時刻に基づきグループＧ１〜Ｇｍごとにデータ信号Ｄｕ［１］，Ｄｕ［２］，・・・，Ｄｕ［ｍ］の送信期間を割り当てる。
【００３１】
なお、コマンド信号Ｃ、応答信号Ｒ、及びデータ信号Ｄｕ，Ｄｄの形態としては、イーサネットフレームが挙げられるが、これに限定されず、ＡＴＭ（Asynchronous Transfer Mode）セルであってもよい。
【００３２】
また、本実施例では、一例として、上り方向の応答信号Ｒ及びデータ信号Ｄｕの波長を１．３１（μｍ）とし、下り方向のコマンド信号Ｃ及びデータ信号Ｄｄの波長を１．４９（μｍ）とする。さらに、グループＧ１〜Ｇｍ内のＯＮＵ１，１ｓ間の通信には、一例として１．５５（μｍ）の波長の光信号を用いる。
【００３３】
つまり、ＯＮＵ１，１ｓは、グループＧ１〜Ｇｍ内において、コマンド信号Ｃの波長及びデータ信号Ｄｕの波長とは異なる波長の信号により通信することにより伝送遅延時間を比較する。このため、各グループＧ１〜Ｇｍ内のＯＮＵ１，１ｓは、伝送路においてコマンド信号Ｃ及びデータ信号Ｄｕと干渉することなく、伝送遅延時間を比較できる。なお、ＯＬＴ２は、グループＧ１〜Ｇｍ内のＯＮＵ１，１ｓ間の通信が行われない場合、１．５５（μｍ）の波長の光信号を用いて、音楽や映像などの放送信号を各ＯＮＵ１，１ｓに配信してもよい。
【００３４】
図３は、ＯＮＵ１，１ｓの一例を示す構成図である。ＯＮＵ１，１ｓは、光合分波器１０と、光−電気変換部（O/E）１３ａ，１３ｂと、電気−光変換部（E/O）１４ａ，１４ｂと、コマンド抽出部１６と、受信処理部１７と、信号判定部１１と、放送信号処理部１２とを有する。また、ＯＮＵ１，１ｓは、グループ内通信処理部１５０と、コマンド処理部１５１と、記憶部１５２と、タイミング制御部１８と、送信処理部１９とを有する。
【００３５】
光合分波器１０は、例えばＷＤＭ（Wavelength Division Multiplex）カプラであり、波長の異なる光信号を別々のポートから入出力する。より具体的には、光合分波器１０は、伝送路から入力されたコマンド信号Ｃ及びデータ信号Ｄｄ（波長１．４９（μｍ））を光−電気変換部１３ａに出力し、グループＧ１〜Ｇｍ内の他のＯＮＵ１，１ｓの信号Ｋまたは放送信号Ｂ（波長１．５５（μｍ））を光−電気変換部１３ｂに出力する。また、光合分波器１０は、電気−光変換部１４ａから入力されたデータ信号Ｄｕ及び応答信号Ｒ（波長１．３１（μｍ）と、電気−光変換部１４ｂから入力されたグループＧ１〜Ｇｍ内の他のＯＮＵ１，１ｓ宛ての信号Ｋ（波長１．５５（μｍ））とを合波して、伝送路へ出力する。
【００３６】
光−電気変換部１３ａは、光合分波器１０から入力された光信号を電気信号に変換する。光−電気変換部１３ａは、電気信号に変換したコマンド信号Ｃ及びデータ信号Ｄｄをコマンド抽出部１６に出力する。
【００３７】
コマンド抽出部１６は、光−電気変換部１３ａから入力された電気信号からコマンド信号Ｃを抽出してコマンド処理部１５１に出力する。コマンド抽出部１６は、例えばコマンド信号Ｃの識別子に基づきコマンド信号Ｃを抽出する。また、コマンド抽出部１６は、データ信号Ｄｄを受信処理部１７に出力する。受信処理部１７は、データ信号ＤｄからＬＬＩＤを削除して、データ信号Ｄｄを加入者宅のＬＡＮ３に送信する。
【００３８】
光−電気変換部１３ｂは、光合分波器１０から入力された光信号を電気信号に変換する。光−電気変換部１３ｂは、電気信号に変換したグループＧ１〜Ｇｍ内通信の信号Ｋまたは放送信号Ｂを信号判定部１１に出力する。
【００３９】
信号判定部１１は、光−電気変換部１３ｂから入力された電気信号の種別を判定する。信号判定部１１は、電気信号に変換されたグループＧ１〜Ｇｍ内通信の信号Ｋをグループ内通信処理部１５０に出力し、電気信号に変換された放送信号Ｂを放送信号処理部１２に出力する。放送信号処理部１２は、例えば放送信号Ｂをフォーマット変換して、加入者宅のＬＡＮ３に出力する。
【００４０】
コマンド処理部１５１は、コマンド抽出部１６から入力されたコマンド信号Ｃに応じた応答信号Ｒを生成して、タイミング制御部１８に出力する。また、コマンド処理部１５１は、コマンド信号ＣによりＬＬＩＤ及びデータ信号Ｄｕの送信期間が通知された場合、ＬＬＩＤ及びデータ信号Ｄｕを記憶部１５２に記憶させる。記憶部１５２としては、一例としてメモリが挙げられるが、これに限定されない。コマンド処理部１５１は、コマンド信号として、時刻同期コマンドが入力された場合、その旨をグループ内通信処理部１５０に通知する。
【００４１】
グループ内通信処理部１５０は、グループＧ１〜Ｇｍ内のＯＮＵ１，１ｓ間の通信を処理する。グループ内通信処理部１５０は、コマンド処理部１５１から時刻同期コマンド入力の通知を受けると、時刻同期コマンドの受信時刻に基づきＯＬＴ２との間の伝送遅延時間をグループＧ１〜Ｇｍ内の他のＯＮＵ１，１ｓと比較するため、測定信号Ｋを生成して電気−光変換部１４ｂに出力する。グループ内通信処理部１５０は、その比較の結果、代表ＯＮＵ１ｓの設定情報を生成して記憶部１５２に記憶させる。グループ内通信処理部１５０は、代表ＯＮＵ１ｓの設定情報を含む信号Ｋを生成し電気−光変換部１４ｂに出力する。
【００４２】
また、グループ内通信処理部１５０は、代表ＯＮＵ１ｓの場合、グループＧ１〜Ｇｍ内のデータ信号Ｄｕの送信順を決定し、その送信順序情報を記憶部１５２に記憶させる。グループ内通信処理部１５０は、送信順序情報を含む信号Ｋを生成して電気−光変換部１４ｂに出力する。電気−光変換部１４ｂは、信号Ｋを電気信号から光信号に変換して光合分波器１０に出力する。
【００４３】
送信処理部１９は、加入者宅のＬＡＮ３からデータ信号Ｄｕを受信してフォーマット変換し、タイミング制御部１８に出力する。タイミング制御部１８は、送信処理部１９から入力されたデータ信号Ｄｕ、及びコマンド処理部１５１から入力された応答信号Ｒの送信タイミングを制御する。タイミング制御部１８は、記憶部１５２から送信順序情報及び送信期間を読み出し、自ＯＮＵ１，１ｓの送信順である場合、送信期間内にデータ信号Ｄｕまたは応答信号Ｒを電気−光変換部１４ａに出力する。また、タイミング制御部１８は、時刻同期コマンドに対する応答信号Ｒの場合、即時に応答信号Ｒを電気−光変換部１４ａに出力する。なお、タイミング制御部１８は、記憶部１５２からＬＬＩＤを読み出して応答信号Ｒ及びデータ信号Ｄｕに付与する。
【００４４】
電気−光変換部１４ａは、データ信号Ｄｕまたは応答信号Ｒを電気信号から光信号に変換して光合分波器１０に出力する。光合分波器１０は、電気−光変換部１４ｂから入力された信号Ｋと、データ信号Ｄｕまたは応答信号Ｒとを合波して伝送路に送信する。
【００４５】
図４は、ＯＬＴ２の一例を示す構成図である。ＯＬＴ２は、光合分波器２０と、光−電気変換部（O/E）２１と、電気−光変換部（E/O）２２ａ，２２ｂと、応答信号抽出部２３と、受信処理部２４とを有する。また、ＯＬＴ２は、ＯＮＵ制御部２５と、記憶部２６と、タイミング制御部２７と、送信処理部２８と、放送信号処理部２９とを有する。
【００４６】
光合分波器２０は、例えばＷＤＭカプラであり、波長の異なる光信号を別々のポートから入出力する。より具体的には、光合分波器２０は、伝送路から入力された応答信号Ｒ及びデータ信号Ｄｕ（波長１．３１（μｍ））を光−電気変換部２１に出力する。また、光合分波器２０は、電気−光変換部２２ａから入力されたデータ信号Ｄｄ及びコマンド信号Ｃ（波長１．４９（μｍ）と、放送信号Ｂ（波長１．５５（μｍ））とを合波して、伝送路へ出力する。なお、放送信号Ｂは、グループＧ１〜Ｇｍ内通信が行われる場合、信号Ｋとの衝突を避けるため、出力されない。
【００４７】
光−電気変換部２１は、光合分波器２０から入力された光信号を電気信号に変換する。光−電気変換部２１は、電気信号に変換した応答信号Ｒ及びデータ信号Ｄｕを応答信号抽出部２３に出力する。
【００４８】
応答信号抽出部２３は、光−電気変換部２１から入力された電気信号から応答信号Ｒを抽出してＯＮＵ制御部２５に出力する。応答信号抽出部２３は、例えば応答信号Ｒの識別子に基づき応答信号Ｒを抽出する。また、応答信号抽出部２３は、データ信号Ｄｕを受信処理部２４に出力する。受信処理部２４は、データ信号ＤｄからＬＬＩＤを削除して、データ信号Ｄｕを基幹ネットワークに送信する。
【００４９】
ＯＮＵ制御部２５は、ＯＮＵ１，１ｓを制御するコマンド信号Ｃを生成してタイミング制御部２７に出力する。例えば、ＯＮＵ制御部２５は、一定周期でグループＧ１〜Ｇｍごとに時刻同期コマンドを生成して、その応答信号Ｒを受信すると、応答信号Ｒの受信時刻に基づき送信期間を算出して記憶部２６に記憶させる。記憶部２６としては、一例としてメモリが挙げられるが、これに限定されない。ＯＮＵ制御部２５は、グループＧ１〜Ｇｍごとに送信期間を割り当てるため、送信期間割り当てコマンドを生成する。
【００５０】
送信処理部２８は、基幹ネットワークからデータ信号Ｄｄを受信し、記憶部２６内のアドレステーブルを参照することで、データ信号Ｄｄの宛先に応じたＬＬＩＤを取得する。送信処理部２８は、取得したＬＬＩＤをデータ信号Ｄｄに付与してタイミング制御部２７に出力する。タイミング制御部２７は、データ信号Ｄｄ及びコマンド信号Ｃの送信タイミングを制御し、データ信号Ｄｄ及びコマンド信号Ｃを電気−光変換部２２ａに出力する。電気−光変換部２２ａは、データ信号Ｄｄ及びコマンド信号Ｃを電気信号から光信号に変換して光合分波器２０に出力する。
【００５１】
放送信号処理部２９は、例えば、外部のサーバから入力された放送信号Ｂをフォーマット変換して、電気−光変換部２２ｂに出力する。電気−光変換部２２ｂは、放送信号Ｂを電気信号から光信号に変換して光合分波器２０に出力する。次に、ＯＬＴ２及びＯＮＵ１，１ｓの動作を説明する。
【００５２】
図５は、送信期間の割り当て処理の一例を示すシーケンス図である。本処理は、例えばグループＧ１〜Ｇｍごとに一定の周期で行われる。
【００５３】
ＯＬＴ２は、時刻同期コマンドのコマンド信号ＣをＯＮＵ１，１ｓに送信する。このとき、ＯＮＵ制御部２５は、時刻同期コマンドの送信時刻Ｔｓを記憶部２６に記憶させる。
【００５４】
ＯＮＵ１，１ｓは、時刻同期コマンドを受信すると、自装置内の時刻（例えばカウンタ値）をリセットする（符号Ｓ１参照）。代表ＯＮＵ１ｓは、応答信号ＲをＯＬＴ２に送信する。次に、ＯＮＵ１，１ｓは、伝送遅延時間を互いに比較する（符号Ｓ２参照）。なお、伝送遅延時間の比較処理については後述する。
【００５５】
ＯＬＴ２は、応答信号Ｒを受信すると、受信時刻Ｔｒに基づき送信期間を算出する（符号Ｓ３参照）。より具体的には、ＯＬＴ２は、時刻同期コマンドの送信時刻Ｔｓとその応答信号Ｒの受信時刻Ｔｒの差分からＲＴＴ（Round Trip Time）を算出し、異なるグループＧ１〜Ｇｍ間のＯＮＵ１，１ｓのデータ信号Ｄｄ同士が衝突しないように、ＲＴＴに応じた送信期間を算出する。次に、ＯＬＴ２は、送信期間割り当てコマンドのコマンド信号ＣをＯＮＵ１，１ｓに送信する。なお、送信期間の算出手法としては、例えばＩＥＥＥ８０２．３ａｈに規定されたものを用いてもよい。
【００５６】
このように、ＯＬＴ２は、時刻同期コマンドを各ＯＮＵ１，１ｓに送信し、各グループＧ１〜Ｇｍ内で伝送遅延時間が最も大きい代表ＯＮＵ１ｓが、時刻同期コマンドに対する応答信号ＲをＯＬＴ２に送信する。ＯＬＴ２は、応答信号Ｒの受信時刻Ｔｒに基づきグループＧ１〜Ｇｍごとにデータ信号Ｄｕの送信期間を割り当てる。
【００５７】
このため、各グループＧ１〜ＧｍのＯＮＵ１，１ｓは、グループＧ１〜Ｇｍ内で最も大きい伝送遅延時間を基準としてデータ信号Ｄｕの送信期間が割り当てられる。したがって、異なるグループＧ１〜ＧｍのＯＮＵ１，１ｓのデータ信号Ｄｕ同士が衝突することがない。
【００５８】
また、各ＯＮＵ１，１ｓは、グループＧ１〜Ｇｍごとの送信期間が到来するたびにグループＧ１〜Ｇｍ内で順番にデータ信号ＤｕをＯＬＴ２に送信する。このため、グループＧ１〜Ｇｍ内のＯＮＵ１，１ｓのデータ信号Ｄｕ同士が衝突することがない。
【００５９】
図６は、データ信号Ｄｕの送信順序の一例を示すタイムチャートである。図６において、横軸は時刻を示し、送信期間「Ｇ１」〜「Ｇｍ」はグループＧ１〜Ｇｍごとの送信期間をそれぞれ示している。
【００６０】
本例において、グループＧ１〜Ｇｍ内の送信順は、ＯＮＵ１，１ｓの識別番号「＃ｊ−ｋ」の「ｋ」の値の若い順とする。このため、送信処理の１周期目では、ＯＮＵ（＃１−１）１ｓ、ＯＮＵ（＃２−１）１ｓ、・・・、ＯＮＵ（＃ｍ−１）１ｓのデータ信号Ｄｕが送信される。送信処理の２周期目では、ＯＮＵ（＃１−２）１、ＯＮＵ（＃２−２）１ｓ、・・・、ＯＮＵ（＃ｍ−２）１のデータ信号Ｄｕが送信される。送信処理のｎ周期目では、ＯＮＵ（＃１−ｎ）１、ＯＮＵ（＃２−ｎ）１、・・・、ＯＮＵ（＃ｍ−ｎ）１のデータ信号Ｄｕが送信される。
【００６１】
このように、各グループＧ１〜Ｇｍ内の所定の順番でデータ信号Ｄｕが送信されるため、同一グループＧ１〜Ｇｍ内のＯＮＵ１，１ｓのデータ信号Ｄｕ同士の衝突が回避される。なお、グループＧ１〜Ｇｍ内の送信順は、本例に限定されることはなく、例えばラウンドロビン方式に従って決定されてもよいし、ＯＮＵ１，１ｓから送信するデータ信号Ｄｕのデータ量に応じて決定されてもよい。
【００６２】
グループＧ１〜Ｇｍ内の送信順は、例えば代表ＯＮＵ１ｓにより決定される。代表ＯＮＵ１ｓは、例えば、送信期間内にデータ信号Ｄｕの送信順をグループＧ１〜Ｇｍ内の他のＯＮＵ１に通知する。これにより、異なるグループＧ１〜Ｇｍ間において、送信順を通知する信号Ｋが伝送路上で衝突することが回避される。
【００６３】
図７は、ＯＮＵ１，１ｓの送信期間内の動作を示すフローチャートである。本動作は、例えば一定周期で行われる。
【００６４】
ＯＮＵ１，１ｓは、自装置内のカウンタ値に基づき自グループＧ１〜Ｇｍの送信期間が到来したか否かを判定する（ステップＳｔ１）。ＯＮＵ１，１ｓは、送信期間が到来していない場合（ステップＳｔ１のＮｏ）、動作を終了する。
【００６５】
また、ＯＮＵ１，１ｓは、送信期間が到来した場合（ステップＳｔ１のＹｅｓ）、データ信号ＤｕをＯＬＴ２に送信する（ステップＳｔ２）。上述したように、送信期間はグループＧ１〜Ｇｍごとに異なるため、各グループＧ１〜ＧｍのＯＮＵ１，１ｓから送信されたデータ信号Ｄｕが伝送路上で衝突することはない。
【００６６】
次に、ＯＮＵ１，１ｓは、自装置がグループＧ１〜Ｇｍ内の代表ＯＮＵ１ｓであるか否かを判定する（ステップＳｔ３）。この判定処理は、例えば、グループ内通信処理部１５０が、記憶部１５２内の設定情報を参照することにより行われる。ＯＮＵ１，１ｓは、自装置が代表ＯＮＵ１ｓではない場合（ステップＳｔ３のＮｏ）、動作を終了する。
【００６７】
また、ＯＮＵ１，１ｓは、自装置が代表ＯＮＵ１ｓである場合（ステップＳｔ３のＹｅｓ）、記憶部１５２からＬＬＩＤを読み出し、グループ内の他のＯＮＵ１に通知する（ステップＳｔ４）。このため、グループ内のＯＮＵ１は、例えばＬＬＩＤに変更があった場合でも、定期的にＬＬＩＤを確認して修正することができる。
【００６８】
次に、ＯＮＵ１ｓは、グループＧ１〜Ｇｍ内の送信順を決定する（ステップＳｔ５）。次に、ＯＮＵ１ｓは、送信順を示す送信順序情報をグループＧ１〜Ｇｍ内の他のＯＮＵ１に通知して（ステップＳｔ６）、動作を終了する。
【００６９】
グループＧ１〜Ｇｍ内の伝送遅延時間を比較処理は、上述したように時刻同期コマンドを受信したときに行われるが、以下のように、さらに新規のＯＮＵ１が増設された場合にのみ行えば、ＯＮＵ１，１ｓの処理の負荷が低減される。
【００７０】
図８は、グループＧ１〜Ｇｍ内の伝送遅延時間の比較処理の一例を示すフローチャートである。本処理は、例えば一定の周期で行われる。
【００７１】
グループＧ１〜Ｇｍに新規に追加されたＯＮＵ１（以下、「新規ＯＮＵ」と表記）は、ＯＬＴ２から時刻同期コマンドを受信したか否かを判定する（ステップＳｔ１１）。新規ＯＮＵ１は、時刻同期コマンドを受信していない場合（ステップＳｔ１１のＮｏ）、処理を終了する。
【００７２】
また、新規ＯＮＵ１は、時刻同期コマンドを受信した場合（ステップＳｔ１１のＹｅｓ）、識別番号などの装置情報を含む信号Ｋを他のＯＮＵ１，１ｓに送信する（ステップＳｔ１２）。次に、新規ＯＮＵ１は、代表ＯＮＵ１ｓから測定信号（信号Ｋ）を受信したか否かを判定する（ステップＳｔ１３）。
【００７３】
新規ＯＮＵ１は、測定信号を受信していない場合（ステップＳｔ１３のＮｏ）、自グループＧ１〜Ｇｍ内に他にＯＮＵ１，１ｓが存在しないと判定し、自装置を代表ＯＮＵ１ｓに設定して（ステップＳｔ１８）、処理を終了する。より具体的には、グループ内通信処理部１５０は、記憶部１５２に代表ＯＮＵ１ｓの設定情報を書き込む。
【００７４】
また、新規ＯＮＵ１は、測定信号を受信した場合（ステップＳｔ１３のＹｅｓ）、グループＧ１〜Ｇｍ内の他のＯＮＵ１，１ｓに測定信号を送信する（ステップＳｔ１４）。次に、新規ＯＮＵ１と代表ＯＮＵ１ｓの間において伝送遅延時間の比較処理が行われる（ステップＳｔ１５）。なお、伝送遅延時間の比較処理については後述する。
【００７５】
新規ＯＮＵ１の伝送遅延時間が代表ＯＮＵ１ｓより大きい場合（ステップＳｔ１６のＹｅｓ）、代表ＯＮＵ１ｓは、新規ＯＮＵ１に設定され（ステップＳｔ１７）、処理を終了する。より具体的には、グループ内通信処理部１５０は、代表ＯＮＵ１ｓからの比較結果の通知に基づき、記憶部１５２に代表ＯＮＵ１ｓの設定情報を書き込む。
【００７６】
また、新規ＯＮＵ１の伝送遅延時間が代表ＯＮＵ１ｓ以下である場合（ステップＳｔ１６のＮｏ）、新規ＯＮＵ１は、代表ＯＮＵ１ｓに設定されることなく、処理を終了する。このようにして、グループＧ１〜Ｇｍ内の伝送遅延時間の比較処理は行われる。
【００７７】
このように、新規ＯＮＵ１が増設された場合、新規ＯＮＵ１と代表ＯＮＵ１ｓの間で伝送遅延時間の比較処理が行われ、新規ＯＮＵ１は、代表ＯＮＵ１ｓより伝送遅延時間が大きいとき、新たな代表ＯＮＵ１ｓに設定される。したがって、本例によると、常時、伝送遅延時間の比較処理を行う場合より、処理の負荷が低減される。
【００７８】
図９は、グループＧ１〜Ｇｍ内の伝送遅延時間の比較処理の一例を示すシーケンス図である。ＯＬＴ２は、自装置内の時刻Ｔ１において、グループＧ１〜Ｇｍ内の代表ＯＮＵ１ｓ、新規ＯＮＵ１、他の既存のＯＮＵ１に時刻同期コマンドのコマンド信号Ｃを送信する。
【００７９】
代表ＯＮＵ１ｓは、時刻Ｔ１より伝送遅延時間Ｄａだけ遅い自装置内の時刻Ｔ１ａにおいて、コマンド信号Ｃを受信して、応答信号ＲをＯＬＴ２に送信する。また、新規ＯＮＵ１は、時刻Ｔ１より伝送遅延時間Ｄｂだけ遅い自装置内の時刻Ｔ１ｂにおいて、コマンド信号Ｃを受信する。代表ＯＮＵ１ｓ、新規ＯＮＵ１、及び既存ＯＮＵ１は、コマンド信号Ｃに基づき自装置内の時刻をリセットする。
【００８０】
次に、新規ＯＮＵ１は、代表ＯＮＵ１ｓ及び既存ＯＮＵ１に装置情報を送信する。代表ＯＮＵ１ｓは、装置情報を受信すると、自装置内の時刻Ｔ２ａ（ＯＬＴ２の時刻Ｔ２）において測定信号を新規ＯＮＵ１に送信する。代表ＯＮＵ１ｓは、時刻Ｔ２ａを記憶部１５２に記憶する。また、新規ＯＮＵ１は、自装置内の時刻Ｔ３ｂ（ＯＬＴ２の時刻Ｔ３）において測定信号を受信する。なお、既存ＯＮＵ１は、測定信号を受信するが、廃棄する。
【００８１】
次に、新規ＯＮＵ１は、自装置内の時刻Ｔ４ｂ（ＯＬＴ２の時刻Ｔ４）において測定信号を代表ＯＮＵ１ｓに送信する。このとき、新規ＯＮＵ１は、測定信号に時刻Ｔ３ｂ，Ｔ４ｂを含めて代表ＯＮＵ１ｓに通知する。代表ＯＮＵ１ｓは、自装置内の時刻Ｔ５ａ（ＯＬＴ２の時刻Ｔ５）において測定信号を受信する。代表ＯＮＵ１ｓは、時刻Ｔ３ｂ，Ｔ４ｂ，Ｔ５ａを記憶部１５２に記憶する。なお、既存ＯＮＵ１は、測定信号を受信するが、廃棄する。
【００８２】
代表ＯＮＵ１ｓは、記憶部１５２に記憶した時刻Ｔ２ａ，Ｔ３ｂ，Ｔ４ｂ，Ｔ５ａに基づいて、以下の手法で伝送遅延時間の比較処理を行う。
【００８３】
Ｔ３＝Ｔ３ｂ＋Ｄｂ＝Ｔ２ａ＋Ｄａ＋Δｒ   ・・・（１）
Ｔ５＝Ｔ４ｂ＋Ｄｂ＋Δｒ＝Ｔ５ａ＋Ｄａ   ・・・（２）
【００８４】
時刻Ｔ２，Ｔ３の差分及び時刻Ｔ４，Ｔ５の差分をΔｒとすると、新規ＯＮＵ１及び代表ＯＮＵ１ｓの時刻は、ＯＬＴ２の時刻から伝送遅延時間Ｄｂ，Ｄａだけそれぞれ遅延しているため、上記の式（１）、（２）の関係が成立する。したがって、式（１），（２）から以下の式（３），（４）がそれぞれ得られる。
【００８５】
Ｔ３ｂ−Ｔ２ａ＝Δｒ＋Ｄａ−Ｄｂ    ・・・（３）
Ｔ５ａ−Ｔ４ｂ＝Δｒ−Ｄａ＋Ｄｂ    ・・・（４）
【００８６】
式（３），（４）の差分Δｒは固定値であるため、（Ｔ３ｂ−Ｔ２ａ）の値と（Ｔ５ａ−Ｔ４ｂ）の値を比較することにより、伝送遅延時間Ｄａ，Ｄｂの大小が判定される。つまり、（Ｔ３ｂ−Ｔ２ａ）＞（Ｔ５ａ−Ｔ４ｂ）が成立する場合、Ｄａ＞Ｄｂと判定され、（Ｔ３ｂ−Ｔ２ａ）＜（Ｔ５ａ−Ｔ４ｂ）が成立する場合、Ｄａ＜Ｄｂと判定される。なお、（Ｔ３ｂ−Ｔ２ａ）＝（Ｔ５ａ−Ｔ４ｂ）が成立する場合、Ｄａ＝Ｄｂとなる。
【００８７】
このように、各ＯＮＵ１，１ｓは、グループＧ１〜Ｇｍ内において、互いに測定信号を送受信し、コマンド信号Ｃの受信時刻Ｔ１ａ，Ｔ１ｂを基準として測定した各々の測定信号の送信時刻Ｔ２ａ，Ｔ４ｂ及び受信時刻Ｔ３ｂ，Ｔ５ａに基づき伝送遅延時間を比較する。したがって、上記の式（３）、（４）により高精度に伝送遅延時間の比較を行うことができる。
【００８８】
代表ＯＮＵ１ｓは、自装置の伝送遅延時間Ｄａが新規ＯＮＵ１の伝送遅延時間Ｄｂより小さい場合、代表ＯＮＵ１ｓの更新を新規ＯＮＵ１及び既存ＯＮＵ１に指示する。新規ＯＮＵ１及び既存ＯＮＵ１は、更新指示を受信すると、記憶部１５２内の代表ＯＮＵ１ｓの設定情報を更新する。これにより、新規ＯＮＵ１が、新たな代表ＯＮＵ１ｓとして動作する。
【００８９】
これまで述べたように、実施例に係る伝送システムは、ＰＯＮに含まれるＯＬＴ２及び複数のＯＮＵ１，１ｓを有する。ＯＬＴ２は、複数のＯＮＵ１，１ｓにコマンド信号Ｃをそれぞれ送信する。複数のＯＮＵ１，１ｓは、グループＧ１〜Ｇｍごとに分かれ、それぞれ、コマンド信号Ｃの受信時刻Ｔ１ａ，Ｔ１ｂに基づきＯＬＴ２との間の伝送遅延時間Ｄａ，ＤｂをグループＧ１〜Ｇｍ内の他のＯＮＵ１，１ｓと比較する。
【００９０】
比較の結果、グループＧ１〜Ｇｍ内で伝送遅延時間Ｄａ，Ｄｂが最も大きいＯＮＵ１ｓが、コマンド信号Ｃに対する応答信号ＲをＯＬＴ２に送信する。ＯＬＴ２は、応答信号Ｒの受信時刻Ｔｒに基づきグループＧ１〜Ｇｍごとにデータ信号Ｄｕの送信期間を割り当てる。複数のＯＮＵ１，１ｓは、グループＧ１〜Ｇｍごとの送信期間が到来するたびにグループＧ１〜Ｇｍ内で順番にデータ信号ＤｕをＯＬＴ２に送信する。
【００９１】
上記の構成によると、ＯＬＴ２は、コマンド信号Ｃを各ＯＮＵ１，１ｓに送信し、各グループＧ１〜Ｇｍ内で伝送遅延時間Ｄａ，Ｄｂが最も大きい代表ＯＮＵ１ｓがコマンド信号Ｃに対する応答信号ＲをＯＬＴ２に送信する。ＯＬＴ２は、応答信号Ｒの受信時刻Ｔｒに基づきグループＧ１〜Ｇｍごとにデータ信号Ｄｕの送信期間を割り当てる。
【００９２】
このため、各グループＧ１〜ＧｍのＯＮＵ１，１ｓは、グループＧ１〜Ｇｍ内で最も大きい伝送遅延時間Ｄａ，Ｄｂを基準としてデータ信号Ｄｕの送信期間が割り当てられる。したがって、異なるグループＧ１〜ＧｍのＯＮＵ１，１ｓのデータ信号Ｄｕ同士が衝突することがない。
【００９３】
また、各ＯＮＵ１，１ｓは、グループＧ１〜Ｇｍごとの送信期間が到来するたびにグループＧ１〜Ｇｍ内で順番にデータ信号ＤｕをＯＬＴ２に送信する。このため、グループＧ１〜Ｇｍ内のＯＮＵ１，１ｓのデータ信号Ｄｕ同士が衝突することがない。
【００９４】
また、グループＧ１〜Ｇｍ内のＯＮＵ１のうち、代表ＯＮＵ１ｓが、ＯＬＴ２からのコマンド信号Ｃに対して応答信号Ｒを送信する。このため、ＯＬＴ２は、各グループＧ１〜Ｇｍの他のＯＮＵ１を認識しない。したがって、ＯＬＴ２は、各グループＧ１〜ＧｍにＯＮＵ１，１ｓが追加で設置されても、伝送処理の負荷が増加しない。このため、ＯＮＵ１，１ｓが追加されても、ＯＬＴ２及びＶＤＳＬ装置などを追加する必要がない。
【００９５】
よって、本実施例に係る伝送システムによると、設備コストを抑えて光通信回線の加入者数を増加させることができる
【００９６】
また、実施例に係る伝送方法は、ＰＯＮに含まれるＯＬＴ２及び複数のＯＮＵ１，１ｓの間の伝送方法おいて、以下のステップを含む。
ステップ（１）：ＯＬＴ２は、複数のＯＮＵ１，１ｓにコマンド信号Ｃをそれぞれ送信する。
ステップ（２）：複数のＯＮＵ１，１ｓは、グループＧ１〜Ｇｍごとに分かれ、それぞれ、コマンド信号Ｃの受信時刻Ｔ１ａ，Ｔ１ｂに基づきＯＬＴ２との間の伝送遅延時間Ｄａ，ＤｂをグループＧ１〜Ｇｍ内の他のＯＮＵ１，１ｓと比較する。
ステップ（３）：比較の結果、グループＧ１〜Ｇｍ内で伝送遅延時間Ｄａ，Ｄｂが最も大きいＯＮＵ１ｓが、コマンド信号Ｃに対する応答信号ＲをＯＬＴ２に送信する。
ステップ（４）：ＯＬＴ２は、応答信号Ｒの受信時刻Ｔｒに基づきグループＧ１〜Ｇｍごとにデータ信号Ｄｕの送信期間を割り当てる。
ステップ（５）：複数のＯＮＵ１，１ｓは、グループＧ１〜Ｇｍごとの送信期間が到来するたびにグループＧ１〜Ｇｍ内で順番にデータ信号ＤｕをＯＬＴ２に送信する。
【００９７】
実施例に係る伝送方法は、上記の伝送システムと同様の構成を含むので、上述した内容と同様の作用効果を奏する。
【００９８】
上述した実施形態は本発明の好適な実施の例である。但し、これに限定されるものではなく、本発明の要旨を逸脱しない範囲内において種々変形実施可能である。
【００９９】
なお、以上の説明に関して更に以下の付記を開示する。
（付記１）  ＰＯＮに含まれる光端局装置及び複数の光終端装置を有する伝送システムにおいて、
前記光端局装置は、前記複数の光終端装置に制御信号をそれぞれ送信し、
前記複数の光終端装置は、グループごとに分かれ、それぞれ、前記制御信号の受信時刻に基づき前記光端局装置との間の伝送遅延時間を前記グループ内の他の光終端装置と比較し、
該比較の結果、前記グループ内で前記伝送遅延時間が最も大きい光終端装置が、前記制御信号に対する応答信号を前記光端局装置に送信し、
前記光端局装置は、前記応答信号の受信時刻に基づき前記グループごとにデータ信号の送信期間を割り当て、
前記複数の光終端装置は、前記グループごとの前記送信期間が到来するたびに前記グループ内で順番に前記データ信号を前記光端局装置に送信することを特徴とする伝送システム。
（付記２）  前記複数の光終端装置は、前記グループ内において、前記制御信号の波長及び前記データ信号の波長とは異なる波長の信号により通信することにより前記伝送遅延時間を比較することを特徴とする付記１に記載の伝送システム。
（付記３）  前記グループ内で前記伝送遅延時間が最も大きい光終端装置は、前記送信期間内に前記グループ内の前記データ信号の送信順を他の光終端装置に通知することを特徴とする付記１または２に記載の伝送システム。
（付記４）  前記複数の光終端装置は、前記グループ内において、互いに測定信号を送受信し、前記制御信号の受信時刻を基準として測定した各々の前記測定信号の送信時刻及び受信時刻に基づき前記伝送遅延時間を比較することを特徴とする付記１乃至３の何れかに記載の伝送システム。
（付記５）  ＰＯＮに含まれる光端局装置及び複数の光終端装置の間の伝送方法おいて、
前記光端局装置は、前記複数の光終端装置に制御信号をそれぞれ送信し、
前記複数の光終端装置は、グループごとに分かれ、それぞれ、前記制御信号の受信時刻に基づき前記光端局装置との間の伝送遅延時間を前記グループ内の他の光終端装置と比較し、
該比較の結果、前記グループ内で前記伝送遅延時間が最も大きい光終端装置が、前記制御信号に対する応答信号を前記光端局装置に送信し、
前記光端局装置は、前記応答信号の受信時刻に基づき前記グループごとにデータ信号の送信期間を割り当て、
前記複数の光終端装置は、前記グループごとの前記送信期間に従い、前記グループ内で順番に前記データ信号を前記光端局装置に送信することを特徴とする伝送方法。
（付記６）  前記複数の光終端装置は、前記グループ内において、前記制御信号の波長及び前記データ信号の波長とは異なる波長の信号により通信することにより前記伝送遅延時間を比較することを特徴とする付記５に記載の伝送方法。
（付記７）  前記グループ内で前記伝送遅延時間が最も大きい光終端装置は、前記送信期間内に前記グループ内の前記データ信号の送信順を他の光終端装置に通知することを特徴とする付記５または６に記載の伝送方法。
（付記８）  前記複数の光終端装置は、前記グループ内において、互いに測定信号を送受信し、前記制御信号の受信時刻を基準として測定した各々の前記測定信号の送信時刻及び受信時刻に基づき前記伝送遅延時間を比較することを特徴とする付記５乃至７の何れかに記載の伝送方法。
【符号の説明】
【０１００】
１       ＯＮＵ
１ｓ       代表ＯＮＵ
２       ＯＬＴ
【図１】
2017011333.tif 000003
【図２】
2017011333.tif 000004
【図３】
2017011333.tif 000005
【図４】
2017011333.tif 000006
【図５】
2017011333.tif 000007
【図６】
2017011333.tif 000008
【図７】
2017011333.tif 000009
【図８】
2017011333.tif 000010
【図９】
2017011333.tif 000011